(57)【要約】【課題】高齢者が一人で通常の靴下を容易に履くことができ、また片手の不自由な人でも靴下を容易に履くことができる靴下装着補助具を提供する。【解決手段】フレーム２に回動可能に支持された１対のガイド板１１、１２の先端部１１ａ、１２ａとフレーム２のＵ字部５およびこのＵ字部５の中央に固定した案内板７で靴下の両側面とかかと部を保持した状態で、片手の操作でガイド板１１、１２を回動させ、ガイド板１１、１２の先端部１１ａ、１２ａとＵ字部５および案内板７に被せた靴下を押し広げる機構を備えた。【選択図】図１
2011050524.tif 000002
【特許請求の範囲】
【請求項１】
一対の直線部とこの一対の直線部の第１端部に前記一対の直線部が構成する平面と所定の角度を有して結合したＵ字部と前記一対の直線部の第２端部を連結した連結棒とで構成したフレームと、このフレームの直線部の第１端部付近に回動可能に支持した靴下の両側面を先端部で保持する１対のガイド板と、前記フレームのＵ字部の中央部に固定した靴下のかかと部を保持する案内板とを備え、前記ガイド板を回動させて、前記ガイド板の先端部と前記Ｕ字部および前記案内板に保持される靴下を押し広げる靴下装着補助具。
【請求項２】
前記ガイド板を回動させて、前記ガイド板の先端部と前記Ｕ字部および前記案内板に保持された靴下を２段階に押し広げる請求項１に記載の靴下装着補助具。
【請求項３】
前記ガイド板の先端部と前記Ｕ字部および前記案内板に保持される靴下を２段階に押し広げるために、第１の回動機構と第２の回動機構を設け、
第１の回動機構として、前記フレームの直線部の中間位置に1対のくの字形金具を回動可能に支持し、このくの字形金具の第１端にワイヤを支持する第１支持点を設けて、前記くの字形金具を支持する前記フレーム付近にワイヤを支持する第２支持点を設けて、前記フレームに沿って摺動可能に保持した第１操作棒を前記連結棒付近に設けて、前記ガイド板の後端部と前記第１操作棒の間を前記第１支持点および第２支持点を経由して第１ワイヤで結び、この第１操作棒を前記連結棒側に引き寄せることで、前記ガイド板を回動させる機構を設け、
前記第２の回動機構として、前記フレームの連結棒付近に１対のＶ字形金具を回動可能に支持し、前記くの字形金具の第２端とＶ字形金具の第１端を第２ワイヤで結び、このＶ字形金具の第２端を第２操作棒で連接し、この第２操作棒を前記連結棒側に引き寄せることで、前記Ｖ字形金具と前記くの字形金具を連動して回動させ、前記くの字形金具の第１支持点で第１ワイヤを押下することで、前記ガイド板をさらに回動させる機構を備える請求項２に記載の靴下装着補助具。
【請求項４】
前記ガイド板の支持部にガイド板を前記案内板方向に倒す機構を設ける請求項１乃至請求項３に記載の靴下装着補助具。
【請求項５】
前記ガイド板は先端部の上部が波形形状を持つ逆への字形ガイド板であり、前記案内板はＺ字形の案内板である請求項１乃至請求項４に記載の靴下装着補助具。
【請求項６】
開口穴を有する板体で、この開口穴の周りに靴下を留めるための複数のピンを立てた第１補助板と、前記開口穴と同じ形状の開口穴を有する板体で、この開口穴の周りに前記第１補助板のピンと嵌合する位置に嵌合穴を設けた第２補助板から構成され、
靴下の開口部を前記第１補助板のピンに留めて、靴下の開口部を押し開き、この上に前記第２補助板を、前記第１補助板のピンが前記第２補助板の嵌合穴に挿入されるようにかぶせて、靴下を挟み込む構造を有し、
請求項１乃至請求項５に記載の靴下装着補助具の前記ガイド板の先端部と前記Ｕ字部と前記案内板の上に靴下を被せるために使用する付属品。
【発明の詳細な説明】
【技術分野】
【０００１】
この発明は、一人では靴下をうまく履けない高齢者や、片手が不自由であるため一人では靴下をうまく履けない人が、一人でかつ片手でも靴下を容易に履くことができる靴下装着補助具に関するものである。
【背景技術】
【０００２】
従来の靴下装着補助具は、基台および足挿入ガイドから構成された器具にあらかじめ靴下を被せた後、足の爪先を足挿入ガイド内に挿入し、さらに基台の中に足を滑らせ挿入しながら、引き寄せ具の把手を両手で引き寄せることで、器具を靴下から引き抜く構造となっている（例えば、特許文献１参照）。
【先行技術文献】
【特許文献】
【０００３】
【特許文献１】特開２００８−１３２３１５号公報
【発明の概要】
【発明が解決しようとする課題】
【０００４】
従来の上記靴下装着補助具は、あらかじめ靴下を被せたままで、足を挿入し、器具を引っ張って、靴下から引き抜くため、最初から靴下を大きく広げておく必要があった。靴下を大きく広げて被せる必要があるため、福祉用品として市販されている柔らかくて、素材ののびが大きい靴下が適しており、通常の靴下を使用することは高齢者には難しかった。また、両手で操作する必要があるため、片手の不自由な人が使用することは難しいという課題があった。
【０００５】
この発明は上記のような課題を解決するためになされたものであり、高齢者が一人で通常の靴下を容易に履くことができ、また片手の不自由な人でも靴下を容易に履くことができる靴下装着補助具を提供することを目的とする。
【課題を解決するための手段】
【０００６】
この発明に係る靴下装着補助具は、一対の直線部とこの一対の直線部の第１端部にＵ字部を一対の直線部が構成する平面と所定の角度を有して結合し、一対の直線部の第２端部を連結棒で連結したフレームと、このフレームの直線部の第１端部付近に回動可能に支持した靴下の両側面を先端部で保持する１対のガイド板と、フレームのＵ字部の中央部に固定した靴下のかかと部を保持する案内板とを備え、ガイド板を回動させて、ガイド板の先端部とＵ字部および案内板に保持される靴下を押し広げる機構を備えたものである。
【発明の効果】
【０００７】
この発明に係る靴下装着補助具は、フレームに回動可能に支持した１対のガイド板の先端部とフレームのＵ字部およびこのＵ字部の中央に固定した案内板で靴下の両側面とかかと部を保持した状態で、ガイド板を回動させることで、ガイド板の先端部とＵ字部および案内板に被せた靴下を押し広げる機構を備えているため、片手の操作で靴下を押し広げることが可能であり、通常の靴下を高齢者が一人で容易に履くことができ、また片手の不自由な人でも靴下を容易に履くことができる効果がある。
【図面の簡単な説明】
【０００８】
【図１】この発明の実施の形態１に係る靴下装着補助具の全体構成を示す斜視図である。
【図２】この発明の実施の形態１に係る靴下装着補助具の全体構成を示す平面図および側面図である。
【図３】この発明の実施の形態１に係る靴下装着補助具の靴下の押し広げ機構の要部を示す図である。
【図４】この発明の実施の形態１に係る靴下装着補助具の使用手順を示す図である。
【図５】この発明の実施の形態１に係る靴下装着補助具の使用手順を示す図である。
【図６】この発明の実施の形態１に係る靴下装着補助具の使用手順を示す図である。
【図７】この発明の実施の形態２に係る靴下装着補助具の構成の要部を示す図である。
【図８】この発明の実施の形態２に係る靴下装着補助具の構成の要部を示す図である。
【図９】この発明の実施の形態３に係る靴下装着補助具の付属品の構成を示す図である。
【図１０】付属品の使用方法を示す図である。
【発明を実施するための形態】
【０００９】
実施の形態１．
図１は、この発明の実施の形態１に係る靴下装着補助具１の全体構成の斜視図、図２は平面図および側面図、図３は靴下の押し広げ機構の要部を示す図である。
靴下装着補助具１の全体構成を説明する。
フレーム２は一対の直線部３、４と各直線部の第１端部３ａ、４ａに接続されたＵ字部５と各直線部の第１端部３ｂ、４ｂを連結する連結棒６を備える。Ｕ字部５は一対の直線部３、４が構成する平面に対して所定の角度θ（９０度から１８０度）を有している。
Ｕ字部５と共に靴下のかかと部を保持し、足のかかと部を乗せるＺ字形の案内板７が、Ｕ字部５の中央に連結棒６からＵ字部５方向に向けて固定されている。
以下、一対の直線部３、４が構成する平面に対して、Ｕ字部５が存在する側を下側、その反対側を上側と定義して説明する。
【００１０】
１対のガイド板１１、１２は、逆への字形であり、フレーム２の直線部の第１端部３ａ、４ａ付近に上向きに固定されたガイド板用支持金具２１、２２により、ガイド板の回転軸１１ｃ、１２ｃを中心に回動可能に支持されている。ガイド板１１、１２には、ガイド板用ねじりばね１１ｄ、１２ｄが設けられており、ガイド板の先端部１１ａ、１２ａの上部は靴下を保持しやすいように波形形状をしている。
１対のくの字形金具１３、１４は、フレーム２の直線部の第１端部３ａ、４ａと第２端部３ｂ、４ｂの間に固定されたくの字金具用支持金具２３、２４により、くの字形金具の回転軸１３ｃ、１４ｃを中心に回動可能に支持されている。くの字形金具１３、１４の第１端１３ａ、１４ａにワイヤを支持する第１支持点３３、３４を設けて、くの字金具用支持金具２３、２４のフレーム２近傍にワイヤを支持する第２支持点３５、３６を設けている。
【００１１】
フレーム２の連結棒６付近には、直線部３、４に沿って摺動可能な第１操作棒１７が保持されている。すなわち第１操作棒１７は第１操作棒用保持環１７ａ、１７ｂを用いて摺動可能に保持されており、フレーム２に取り付けた第１操作棒用ストッパ２７、２８で摺動範囲が制限されている。
ガイド板の後端部１１ｂ、１２ｂと第１操作棒１７の間を第１支持点３３、３４および第２支持点３５、３６を経由して第１ワイヤ３１で結んでいる。
ここで、第１支持点３３、３４は、くの字形金具１３、１４の第１端１３ａ、１４ａに設けた穴であり、第１ワイヤはガイド板の後端部１１ｂ、１２ｂからくの字形金具１３、１４の内側を通りこの第１支持点３３、３４の穴に入り、外側を通って第２支持点３５、３６を経由して、第１操作棒１７に結ばれている。第２支持点３５、３６は、第１ワイヤ３１を支持すると共に方向を変えるために、くの字金具用支持金具２３、２４に設けたピンである。
第１操作棒１７を連結棒６側に手で握って引き寄せると、第１ワイヤ３１は第１支持点３３、３４および第２支持点３５、３６を経由してガイド板の後端部１１ｂ、１２ｂを引っ張り、ガイド板１１、１２が回動する。
【００１２】
１対のＶ字形金具１５、１６は、フレーム２の第１操作棒用ストッパ２７、２８付近に下向きに固定されたＶ字形金具用支持金具２５、２６により、Ｖ字形金具の回転軸１５ｃ、１６ｃを中心に回動可能に支持されている。Ｖ字形金具１５、１６には、Ｖ字形金具用ねじりばね１５ｄ、１６ｄが設けられている。
くの字形金具１３、１４の第２端１３ｂ、１４ｂとＶ字形金具１５、１６の第１端１５ａ、１６ａを第２ワイヤ３２で結び、このＶ字形金具１５、１６の第２端１５ｂ、１６ｂを第２操作棒１８で連接している。第２操作棒１８を連結棒６側に引き寄せると、Ｖ字形金具１５、１６とくの字形金具１３、１４が連動して回動し、くの字形金具１３、１４の第１支持点３３、３４で第１ワイヤ３１を押下し、ガイド板１１、１２はさらに時計方向に回動する。
【００１３】
次に図３で、靴下の押し広げ機構の動作を説明する。
図３（ａ）は初期状態、図３（ｂ）は第１段階の押し広げ状態、図３（ｃ）は第２段階の押し広げ状態を示す。
初期状態は第１操作棒１７および第２操作棒１８を連結棒６側に引き寄せていない状態である。前述したように、第１ワイヤ３１がガイド板の後端部１１ｂ、１２ｂと第１操作棒１７の間に第１支持点３３、３４および第２支持点３５、３６を経由して結ばれている。また、第２ワイヤ３２がくの字形金具１３、１４の第２端１３ｂ、１４ｂとＶ字形金具１５、１６の第１端１５ａ、１６ａの間に結ばれている。
ガイド板用ねじりばね１１ｄ、１２ｄの反発力とＶ字形金具用ねじりばね１５ｄ、１６ｄの反発力が、第１ワイヤ３１、第２ワイヤ３２の張力と釣り合っている。
この初期状態で、靴下をガイド板の先端部１１ａ、１２ａとＵ字部５および案内板７に被せる。
【００１４】
図３（ｂ）は、第１操作棒１７を手で握って連結棒６側に引き寄せた状態を示す。第１ワイヤ３１は第１支持点３３、３４および第２支持点３５、３６を経由してガイド板の後端部１１ｂ、１２ｂを引っ張り、ガイド板１１、１２はガイド板の回転軸１１ｃ、１２ｃを中心に時計方向に回動する。
ガイド板の先端部１１ａ、１２ａとＵ字部５および案内板７に被せた靴下は、ガイド板１１、１２が時計方向に回動することで、押し広げられる。
【００１５】
図３（ｃ）は、さらに第２操作棒１８を手で連結棒６側に引き寄せた状態を示す。くの字形金具１３、１４は第２ワイヤ３２によりＶ字形金具１５、１６に連動して反時計方向に回動し、くの字形金具１３、１４の第１支持点３３、３４が第１ワイヤ３１を押下し、ガイド板１１、１２はさらに時計方向に回動する。
ガイド板の先端部１１ａ、１２ａとＵ字部５および案内板７に被せた靴下は、ガイド板１１、１２が時計方向にさらに回動することで、さらに押し広げられる。
【００１６】
次に、この実施の形態１の靴下装着補助具１を使用して、靴下を履く手順を説明する。
図４は靴下を履く前の状態を示す図、図５は靴下を履く途中の状態を示す図、図６は靴下を履き終わった状態を示す図である。
椅子に座り、先に説明した初期状態（図３（ａ）参照）の靴下装着補助具１のガイド板１１、１２側を上にして床上に置く。図４に示すように靴下５１をガイド板の先端部１１ａ、１２ａとＵ字部５および案内板７に被せる。靴下をしっかりと履くことができるように、靴下５１の開口部をガイド板の先端部１１ａ、１２ａとＵ字部５および案内板７に深く被せて、靴下の先端部をたぐり寄せる。
【００１７】
靴下を被せた靴下装着補助具１を連結棒６側を上にして体の前面に持ってくる。靴下装着補助具１を斜めにして、片手で連結棒６を持ち、足の爪先６２をＵ字部５に置く。
第１操作棒１７を手で握って連結棒６側に引き寄せると、第１ワイヤ３１はガイド板の後端部１１ｂ、１２ｂを引っ張り、ガイド板１１、１２は時計方向に回動し、靴下５１が少し押し広げられる（図３（ｂ）参照）。
第１操作棒１７と連結棒６を握ったまま、足６１を爪先から靴下の中に滑らせて、足のかかと６３を案内板７に乗せる（図５参照）。
【００１８】
次に、第２操作棒１８を手で連結棒６側に引き寄せると、くの字形金具１３、１４とＶ字形金具１５、１６は第２ワイヤ３２で連動して回動し、くの字形金具１３、１４の第1支持点３３、３４が第１ワイヤ３１を押下し、ガイド板１１、１２はさらに時計方向に回動し、靴下５１がさらに押し広げられる（図３（ｃ））。
第１操作棒１７、第２操作棒１８と連結棒６を握ったまま、靴下装着補助具１を手前に引き寄せながら、足６１を爪先からさらに靴下の中に滑らせる。足６１がガイド板１１、１２の前方方向に抜けると共に、靴下５１はガイド板の先端部１１ａ、１２ａ、Ｕ字部５および案内板７から外れて足６１に装着される（図６参照）。
足６１を爪先から靴下の中に滑らせる時に、ガイド板の先端部１１ａ、１２ａの波形形状とＵ字部５および案内板７は、被せられた靴下５１を適切な摩擦力で保持するため、靴下５１を足６１にしっかりと履くことができる。
靴下５１を足に履いた後は、第１操作棒１７、第２操作棒１８を手から離すと、初期状態（図３（ａ））に戻るので、もう片方の靴下を同様の手順で履く。
【００１９】
この実施の形態１に係る靴下装着補助具１は、靴下をガイド板の先端部１１ａ、１２ａとＵ字部５および案内板７に被せた後に、片手の操作でガイド板１１、１２を２段階に回動させて、靴下を２段階に押し広げることができる。したがって、靴下を履く動作を２段階に分けて行うことができるため、通常の靴下を高齢者が一人で容易に履くことができ、また片手が不自由な人でも靴下を容易に履くことができる。
【００２０】
この実施の形態１では、靴下を２段階に押し広げるために、くの字形金具１３、１４を用いた第１の回動機構とくの字形金具１３、１４およびＶ字形金具１５、１６を用いた第２の回動機構を設けたが、第１の回動機構のみで、ガイド板１１、１２を初期位置から第２段階の位置まで回動するようにしてもよい。
例えば、第１ワイヤ３１の第１支持点３３、３４を図３（ｃ）の位置に最初から固定しておき、第１操作棒用ストッパ２７、２８をガイド板１１、１２側に近い位置に設けて第１操作棒１７の摺動範囲を大きくすることで実現できる。
【００２１】
また、実施の形態１では、手動でワイヤを操作し、ガイド板１１、１２を回動させて靴下を押し広げたが、電動でワイヤの操作を行うようにし、連結棒に設けたスイッチで自動的にガイド板１１、１２を回動させて靴下を押し広げるようにしてもよい。
【００２２】
実施の形態２．
図７、図８は、実施の形態２に係る靴下装着補助具の構成の要部を示す図である。
実施の形態１では、ガイド板１１、１２は、ガイド板用支持金具２１、２２で支持されており、ガイド板の回転軸１１ｃ、１２ｃを中心としてのみ回動が可能であった。
この実施の形態２に係る靴下装着補助具では、ガイド板１１、１２を案内板７方向に倒す機構を設けることで、靴下５１をガイド板の先端部１１ａ、１２ａとＵ字部５および案内板７に被せる作業を容易にすることができる。
実施の形態１に係る図１乃至図３におけるガイド板用支持金具２１、２２が実施の形態２に係る図７においては、ガイド板用可動支持金具１２１、１２２に対応している。
【００２３】
図７（ａ）はガイド板用可動支持金具１２１、１２２の初期（固定）状態、図７（ｂ）は倒した状態、図７（ｃ）は可動部の詳細を示す図である。この図７に従って説明する。
ガイド板用可動支持金具１２２はヒンジ構造になっており、固定部１２２ａと可動部１２２ｂから構成され、中心軸１２２ｃを中心に回動できる。
可動部１２２ｂは、中心軸１２２ｃに沿って滑らせることができ、Ｌ金具１２２ｇに固定されたガイドピン１２２ｈで保持されたコイルばね１２２ｊの反発力により、常に左向きの力を受けている。
ガイド板用可動支持金具１２２の初期状態では、中心軸１２２ｃに設けた固定ピン１２２ｅは可動部１２２ｂの嵌合穴１２２ｆに嵌っているため、可動部１２２ｂは固定されている。
【００２４】
ガイド板用可動支持金具１２２を倒す場合は、可動部１２２ｂに図示右向き方向に力を加えて滑らせると、固定ピン１２２ｅが嵌合穴１２２ｆから外れて可動部１２２ｂを倒すことができる。可動部１２２ｂを倒すことができる角度は、ガイド板１１、１２がお互いに接触しないように、ストッパピン１２２ｋで制限されている。
図８は案内板７側から見たガイド板１１、１２を内側に倒した状態を示している。
【００２５】
この実施の形態２に係る靴下装着補助具を用いて靴下を履く手順を先に説明した実施の形態１の手順との違いを中心に説明する。
椅子に座り、ガイド板１１、１２を内側に倒した状態の靴下装着補助具をガイド板１１、１２側が上になるように床上に置く。靴下５１をガイド板の先端部１１ａ、１２ａとＵ字部５および案内板７に被せる。靴下５１を被せた状態で、ガイド板１１、１２を起こして、図７（ａ）の初期状態に戻して、固定する。
これは先に説明した実施の形態１の図４の状態に相当する。以降の手順は、実施の形態１で説明した手順と同様である。
【００２６】
この実施の形態２に係る靴下装着補助具では、ガイド板１１、１２を案内板７方向に倒す機構を設けたので、靴下をガイド板の先端部１１ａ、１２ａとＵ字部５および案内板７に被せる時に、実施の形態１の場合に比較して靴下の開口部を大きく広げる必要がないため、靴下を被せる作業が容易になる。従って、通常の靴下を高齢者が一人で履くこと、また片手が不自由な人が靴下を履くことがさらに容易にできる。
【００２７】
実施の形態３．
図９は、この実施の形態３に係る靴下装着補助具の付属品４１の構成を示す図、図１０は付属品の使用方法を示す図である。
付属品４１は、第１補助板４２と第２補助板４４から構成される。
第１補助板４２は、ガイド板の先端部１１ａ、１２ａとＵ字部５および案内板７が入る大きさの開口穴を有する板体からなり、この開口穴の周りに等角度に靴下を留めるピン４３が設けられている。
第２補助板４４は、第１補助板４２の開口穴と同じ形状の開口穴を有する板体からなり、第１補助板４２のピン４３に対応する位置にピン４３と嵌合する嵌合穴が設けられている。
【００２８】
次に、付属品４１の使用方法を説明する。
第１補助板４２のピン４３を設けた表面４２ａを上にし、靴下５１の開口部を広げながら、図１０（ａ）に示すようにピン４３に留める。
第２補助板４４を嵌合穴４５側が下になるように、靴下５１の先端部を第２補助板４４の開口穴に通しながら、ピン４３と嵌合穴４５が嵌合するように靴下５１を挟み込む。図１０（ｂ）は、付属品４１（第１補助板４２が上側、第２補助板４４が下側）が靴下５１を挟み込んだ状態を示す。
【００２９】
実施の形態１および実施の形態２に係る靴下装着補助具において、靴下５１をガイド板の先端部１１ａ、１２ａとＵ字部５および案内板７に被せる際に、この付属品４１を使用してあらかじめ靴下５１の開口部を広げておけば、靴下５１を被せる作業が容易になる。
具体的な使用方法を実施の形態１の場合で説明する。靴下装着補助具１をガイド板１１、１２側が上になるように床上に置く。靴下５１の開口部を広げて挟み込んだ付属品４１を第１補助板４２側が下になるようにして、付属品４１の開口穴をガイド板の先端部１１ａ、１２ａとＵ字部５および案内板７に通すように被せる。
第２補助板４４を上に引き抜き、第１補助板４２を下に動かしながら靴下５１をピン４３から外すと、靴下５１がガイド板の先端部１１ａ、１２ａとＵ字部５および案内板７に被さった状態になる。靴下５１の被せ方が不十分な場合は、靴下をたぐり寄せて、ガイド板の先端部１１ａ、１２ａとＵ字部５および案内板７に深く被せる。
【００３０】
この発明の靴下装着補助具の実施の形態３では、付属品４１を用いて靴下の開口部を広げた状態で、ガイド板の先端部１１ａ、１２ａとＵ字部５および案内板７に被せることができるため、靴下を被せる作業が容易になる。従って、この付属品４１を使用することで、通常の靴下を高齢者が一人で履くことが、また片手が不自由な人が靴下を履くことがさらに容易になる。
【００３１】
図９では、第１補助板４２に靴下を留めて、第２補助板４４を合わせた際に、靴下との関係（どちらが靴下のかかと側か）がわかり易いように、長方形の板で開口穴の中心を板の中心からずらせているが、この形態には限定されない。また、第１補助板４２にピン４３を等角度（４５度）で設けているが、角度をもっと小さく（例えば３０度）しても、また大きく（例えば６０度）してもよい。
【符号の説明】
【００３２】
１  靴下装着補助具、２  フレーム、３，４  直線部、
３ａ，４ａ  直線部の第１端部、３ｂ，４ｂ  直線部の第２端部、５  Ｕ字部、
６  連結棒、７  案内板、１１，１２  ガイド板、１３，１４  くの字形金具、
１５，１６  Ｖ字形金具、１７  第１操作棒、１８  第２操作棒、３１  第１ワイヤ、
３２  第２ワイヤ、３３，３４  第１支持点、３５，３６  第２支持点、４１  付属品、４２  第１補助板、４３  ピン、４４  第２補助板、４５  嵌合穴、５１  靴下、
６１  足、１２１，１２２  ガイド板用可動支持金具。
【図１】
2011050524.tif 000003
【図２】
2011050524.tif 000004
【図３】
2011050524.tif 000005
【図４】
2011050524.tif 000006
【図５】
2011050524.tif 000007
【図６】
2011050524.tif 000008
【図７】
2011050524.tif 000009
【図８】
2011050524.tif 000010
【図９】
2011050524.tif 000011
【図１０】
2011050524.tif 000012